(57)【特許請求の範囲】
【請求項１】
レンチキュラー集束素子のアレイと、画像ストリップのセットの対応するアレイであって、該画像ストリップのセットが実質的にレンチキュラー集束素子の前記アレイと同じ周期又は該周期の整数倍周期を有している、アレイと、を備えるレンチキュラー・デバイスを有するセキュリティ・デバイスであって、
前記画像ストリップが形成され、複数の視角の各々において、各々のセットからそれぞれ１つの画像ストリップが、それぞれのレンチキュラー集束素子に入射する入射光に応じて見られるように、前記レンチキュラー集束素子が前記画像ストリップと相対して位置し、
前記デバイスが、連続した視角で見られると、前記デバイスが、一つの画像の周期的反復シーケンスを提示するように、前記画像ストリップが構成され、前記画像の周期的反復シーケンスが、第１の形式から第２の形式へ、次に、前記第１の形式に戻る、画像形式の変化を含み、複数結合された前記画像の周期的反復シーケンスが、前記画像形式のとぎれなくつながる変化を提示する、セキュリティ・デバイス。
【請求項２】
１つの画像の周期的反復シーケンスの終わりにおいて前記画像の第１の形式を定めている前記画像ストリップは、また、次の画像の周期的反復シーケンスの初めにおいて画像の第１の形式も定める、請求項１に記載のセキュリティ・デバイス。
【請求項３】
各々の画像の周期的反復シーケンスの始めと終わりの前記画像ストリップは、他の画像ストリップの半分の幅を有する、請求項１に記載のセキュリティ・デバイス。
【請求項４】
前記画像の周期的反復シーケンスは、画像が拡大しその後に縮小することを含む、請求項１ないし３のいずれか１項に記載のセキュリティ・デバイス。
【請求項５】
前記画像の周期的反復シーケンスは、画像の形状において、第１の形状から第２の形状へ、次に、第１の形状へ戻る変化を含む、請求項１ないし３のいずれか１項に記載のセキュリティ・デバイス。
【請求項６】
前記画像の周期的反復シーケンスは、前記画像の形状の変化を伴う画像のサイズの拡大と、それに続く、元のサイズと形状に戻る、前記画像の縮小及び画像の形状の変化との、組み合わせを含む、請求項１ないし３のいずれか１項に記載のセキュリティ・デバイス。
【請求項７】
前記画像ストリップは、第１の形式と第２の形式との間、および、第２の形式と第１の形式との間から、少なくとも１つの中間画像を定める、請求項１ないし６のいずれか１項に記載のセキュリティ・デバイス。
【請求項８】
前記レンチキュラー集束素子の前記アレイは、画像ストリップのセットに登録されない、請求項１ないし７のいずれか１項に記載のセキュリティ・デバイス。
【請求項９】
前記画像ストリップは、インクによって定められる、請求項１ないし８のいずれか１項に記載のセキュリティ・デバイス。
【請求項１０】
画像ストリップは、レリーフ構造によって定められる、請求項１から８のいずれか１項に記載のセキュリティ・デバイス。
【請求項１１】
前記レリーフ構造は、基板にエンボス加工またはキャストされる、請求項１０に記載のセキュリティ・デバイス。
【請求項１２】
前記レリーフ構造は、回析格子構造を備える、請求項１０又は請求項１１に記載のセキュリティ・デバイス。
【請求項１３】
各々の画像ストリップの幅は、５０ミクロン未満である、請求項１ないし１２のいずれか１項に記載のセキュリティ・デバイス。
【請求項１４】
各々の画像ストリップの幅は、２０ミクロン未満である、請求項１ないし１２のいずれか１項に記載のセキュリティ・デバイス。
【請求項１５】
各々の画像ストリップの幅は、１ないし１０ミクロンの範囲にある、請求項１ないし１２のいずれか１項に記載のセキュリティ・デバイス。
【請求項１６】
画像ストリップの複数のセットが、各々の集束素子に応じて、提供される、請求項１ないし１５のいずれか１項に記載のセキュリティ・デバイス。
【請求項１７】
前記レンチキュラー集束素子は、円柱レンズまたはマイクロミラーを備える、請求項１ないし１６のいずれか１項に記載のセキュリティ・デバイス。
【請求項１８】
前記レンチキュラー集束素子のアレイと前記画像ストリップのセットは、５ないし２００ミクロンの範囲の周期を有する、請求項１ないし１７のいずれか１項に記載のセキュリティ・デバイス。
【請求項１９】
前記レンチキュラー集束素子のアレイと前記画像ストリップのセットは、１０ないし６０ミクロンの範囲の周期を有する、請求項１ないし１７のいずれか１項に記載のセキュリティ・デバイス。
【請求項２０】
前記レンチキュラー集束素子のアレイと前記画像ストリップのセットは、２０ないし４０ミクロンの範囲の周期を有する、請求項１ないし１７のいずれか１項に記載のセキュリティ・デバイス。
【請求項２１】
前記レンチキュラー集束素子のｆ値は、０．２５-１６の範囲にある、請求項１ないし２０のいずれか１項に記載のセキュリティ・デバイス。
【請求項２２】
前記レンチキュラー集束素子のｆ値は、０．５-２の範囲にある、請求項１ないし２０のいずれか１項に記載のセキュリティ・デバイス。
【請求項２３】
前記レンチキュラー集束素子は、熱のエンボス加工またはキャスト硬化複製のプロセスによって形成された、請求項１ないし２２のいずれか１項に記載のセキュリティ・デバイス。
【請求項２４】
前記画像ストリップは、基板上に提供され、該画像ストリップは、ホログラフ構造も備え、前記レンチキュラー・デバイスと離れている、請求項１ないし２３のいずれか１項に記載のセキュリティ・デバイス。
【請求項２５】
前記画像ストリップは、基板上に提供され、該画像ストリップは、モアレ拡大に適切なマイクロ画像も提供され、前記セキュリティ・デバイスは、前記マイクロ画像の上に位置するモアレ拡大レンズ・アレイを更に備える、請求項１ないし２４のいずれか１項に記載のセキュリティ・デバイス。
【請求項２６】
モアレ拡大レンズ・アレイは、前記レンチキュラー集束素子の中、又は、同じ表面において提供される、請求項２５に記載のセキュリティ・デバイス。
【請求項２７】
前記デバイスは、磁性材料を含む機械可読材料を組み込んでいる層を備える、請求項１ないし２６のいずれか１項に記載のセキュリティ・デバイス。
【請求項２８】
請求項１ないし２７のいずれか１項に記載のセキュリティ・デバイスを備える物品。
【請求項２９】
前記物品は、紙幣、小切手、パスポート、身分証明書、鑑定書、収入印紙、及び、価値や身分を確保するための他の文書から選択されたものである、請求項２８に記載の物品。
【請求項３０】
前記物品は、前記レンチキュラー集束素子と前記画像ストリップがそれぞれ提供される対向する側に透明な部分を有する基板を備える、請求項２９に記載の物品。
【請求項３１】
レンチキュラー集束素子のアレイを備えるレンチキュラー・デバイスと、画像ストリップのセットの対応するアレイであって、該画像ストリップのセットが実質的にレンチキュラー集束素子の前記アレイと同じ周期又は該周期の整数倍周期を有している、アレイと、を提供するステップを含む、セキュリティ・デバイスを製造する方法であって、
前記画像ストリップが形成され、複数の視角の各々において、各々のセットからそれぞれ１つの画像ストリップが、それぞれのレンチキュラー集束素子に入射する入射光に応じて見られるように、前記レンチキュラー集束素子が前記画像ストリップと相対して位置し、
前記デバイスが、連続した視角で見られると、前記デバイスが、一つの画像の周期的反復シーケンスを提示するように、前記画像ストリップが構成され、前記画像の周期的反復シーケンスが、第１の形式から第２の形式へ、次に、前記第１の形式に戻る、画像形式の変化を含み、複数結合された前記画像の周期的反復シーケンスが、前記画像形式のとぎれなくつながる変化を提示する、方法。
【請求項３２】
画像ストリップは、セキュリティ・デバイスの基板の上へ印刷される、請求項３１に記載の方法。
【請求項３３】
前記画像ストリップは、前記セキュリティ・デバイスの基板にエンボス加工あるいはキャスト硬化したレリーフ構造によって定められる、請求項３１に記載の方法。
【発明の詳細な説明】
【技術分野】
【０００１】
本願発明は、例えば、紙幣、小切手、パスポート、身分証明書、鑑定書、収入印紙、価値や身分を確保するための他の文書などの貴重品の使用のためのセキュリティ・デバイスに関するものである。
【背景技術】
【０００２】
多くの異なる光学セキュリティ・デバイスが知られている。最も一般的なものは、ホログラムのものであり、クレジットカードなどでしばしば見られる他の回析デバイスである。それは、また、モアレ拡大鏡の形で、セキュリティ・デバイスを提供することも知られている。例えば、欧州特許第１６９５１２１Ａ号と国際公開第９４／２７２５４Ａ号において記述されている。モアレ拡大鏡の不利なところは、アートワークがより制限されるということである。たとえば、アニメーション効果は、モアレ拡大鏡では可能ではない。例えば、米国特許第４８９２３３６号に記載されているようにいわゆるレンチキュラー・デバイスを、セキュリティ・デバイスとして使用することができることも、また、知られている。しかしながら、これらのデバイスは、訓練されていないオブザーバーによって検証することが難しかった。上記のアプローチにおいて、マイクロレンズとプリントとの間に、非常に正確なレジスターの必要がある。実際に、米国特許第４８９２３３６Ａ号において、この、正確なレジスターの必要性が、それによって、そのようなセキュリティ・デバイスを偽造することをとても難しくするという、その発明の長所の１つとして提案されている。これに対し，商業的に有用なセキュリティ・デバイスに対しては、実際のデバイスは、製造するのが比較的簡単でなければならない。さもなければ、生産コストが大きくなりすぎるからである。米国特許第４７６５６５６Ａ号も、レンチキュラー・スクリーンを使用して製作されるセキュリティ・デバイスを記載しているが、この場合には、マイクロ画像は、元々デバイスに存在するマイクロレンズを通して直接のレーザ書込によって形成される。ここでまた、レンズと画像との間に正確なレジスターを達成するが、このアプローチは、大量生産技術に適していない。
【０００３】
レンチキュラー・デバイスのさらなる例が、国際公開第２０１１／０５１６６８Ａ号、米国特許第６０１６２２５Ａ号および米国特許第７３５９１２０Ｂ号に記載されている。
【０００４】
ほとんどのレンチキュラー・デバイスにおいて、円柱レンズ・アレイを根底にあるイメージ・ストリップのセットに登録することが必要である。しかしながら、レンズ周期またはピッチを減らすことで、この登録の供給を、製造プロセスの間、維持するのがますます難しくなり、２つのアレイは、もはや、望ましい登録を有することができないというシナリオの結果となる。これは、画像の間で連続した切り替えが起こるとき、制御がより難しくなり、また、ある特定の視角においてどの画像が見られるのかを正確に決定することが可能でなくなることにおいて欠点を有する。これは、セキュリティ・デバイスの場合好ましくない。
【先行技術文献】
【特許文献】
【０００５】
【特許文献１】国際公開第９４／２７２５４号
【特許文献２】国際公開第２０１１／０５１６６８号
【特許文献３】欧州特許第１６９５１２１号
【特許文献４】米国特許第４８９２３３６号
【特許文献５】米国特許第６０１６２２５号
【特許文献６】米国特許第７３５９１２０号
【発明の概要】
【０００６】
本願発明の第１の態様にしたがって、レンチキュラー集束素子のアレイを備えるレンチキュラー・デバイスと、画像ストリップのセットの対応するアレイであって、該画像ストリップのセットが実質的にレンチキュラー集束素子の前記アレイと同じ周期又は該周期の整数倍周期を有している、アレイと、を有するセキュリティ・デバイスを提供する。ここで、前記画像ストリップが形成され、複数の視角の各々において、各々のセットからそれぞれ１つの画像ストリップが、それぞれのレンチキュラー集束素子に入射する入射光に応じて見られるように、前記集束素子が前記画像ストリップと相対して位置し、前記画像ストリップが、前記デバイスは、前記デバイスが連続した視角で見られると、画像の周期的反復シーケンスを提示し、前記画像シーケンスは、第１の形式と第２の形式との間での画像の形式における変化、次に、該第１の形式へ該シーケンスを戻す反転を含み、前記組み合わせた画像シーケンスは、画像形式における隣接するバリエーションを提示するように、構成される。
【０００７】
本発明の第２の態様による、セキュリティ・デバイスを製造の方法は、レンチキュラー集束素子のアレイを備えるレンチキュラー・デバイスと、そして、画像ストリップのセットの対応するアレイであって、該画像ストリップのセットが実質的にレンチキュラー集束素子の前記アレイと同じ周期又は該周期の整数倍周期を有している、アレイと、を提供するステップを含む。ここで、前記画像ストリップが形成され、複数の視角の各々において、各々のセットからそれぞれ１つの画像ストリップが、それぞれのレンチキュラー集束素子に入射する入射光に応じて見られるように、前記集束素子が前記画像ストリップと相対して位置し、前記画像ストリップが、前記デバイスは、前記デバイスが連続した視角で見られると、前記画像シーケンスは、第１の形式と第２の形式との間での画像の形式における変化、次に、該第１の形式へ該シーケンスを戻す反転を含む、画像の周期的反復シーケンスを提示し、前記組み合わせた画像シーケンスは、画像形式における隣接するバリエーションを提示するように、構成される。
【０００８】
一方のレンチキュラー集束素子と、他方のイメージ・ストリップのセットとの間での登録を要求しないセキュリティ・デバイスとして用いられるレンチキュラー・デバイスを開発した。それにより、製造をより容易にしたが、それは、例えば、画像の拡大、縮小、および／または、形状における変化など形式における周期的変化の影響を生成する。画像の各々のセットのスナップショットは、シーケンスの第１の部分に関するステップの数が、好適には、第１の部分が逆にされるシーケンスの第２の部分に関するステップの数に等しいようになっている。
【０００９】
好適な例において、縮小ステップのシリーズと、各々の縮小ステップの間での画像サイズにおける変化とは、拡大ステップのシリーズと各々の拡大ステップの間での画像サイズにおける変化とを反映する。好適な例において、第１および第２の形式は、同じ形状を有するが、異なるサイズの（縮小し、拡大した、それぞれの）例である。しかし、他の例においては、そのシーケンスは、画像の形状における変化を含むことができる。例えば、画像は、円から星に変わることができ、次に、円に戻ることができる。このケースにおいて、中間画像の隣接セットが、２つの補完的形状の間において、存在する。
【００１０】
いくつかの実施ケースにおいて、１つのシーケンスの終わりにおいて前記画像の第１の形式を定めている前記画像ストリップは、また、次のシーケンスの初めにおいて画像の第１の形式も定める。
【００１１】
他のケースにおいて、始めの画像ストリップと、各々のシーケンスの終わりとは、他の画像ストリップの半分の幅を有する。
【００１２】
半分ストリップを使用する理由は、以下の通りである。アニメーション・シーケンスが全く対称形だったとする。すなわち、最後のシンボルと最初のシンボルは同じある。すなわち、
【数１】
0006046703.tif 000002
【００１３】
次に、従来の周期的オプションに対して、第１のシーケンスの最後のストリップが落とされ、次のシーケンスの最初の要素に戻り、そして、１つの視角の傾斜において、その完全なシーケンスを決して見ることはない。その代わりに、見るであろう登録されたシナリオ
【数２】
0006046703.tif 000003
において、または、登録ミスされたシナリオにおいては、
【数３】
0006046703.tif 000004
または、
【数４】
0006046703.tif 000005
を見るであろう。半分ストリップ・バージョンにおいては、ストリップが完全な対称シナリオ１に提供される。
【数１】
0006046703.tif 000006
したがって、登録されたシナリオにおいて、
【数１】
0006046703.tif 000007
を有する。または、登録ミスされたシナリオにおいては、
【数５】
0006046703.tif 000008
を有する。または、
【数６】
0006046703.tif 000009
明らかに、ミスしたストリップと半分のストリップ・シナリオは、登録ミスされたシナリオにおいては同じことを実行することが分かる。−しかしながら、半分の幅の方が、このアレイが、意図せずに、または、計画的に登録されたシナリオにおいて、よりよい働きをする。
【００１４】
レンチキュラー集束素子は、典型的には、円柱レンズを備えるが、マイクロミラーを備えることもできた。周期、およびしたがって、レンチキュラー集束素子に対する最大ベース直径は、好適には、５-２００μｍ、より好適には、１０-６０μｍ、さらにより好適には、２０-４０μｍの範囲にある。レンチキュラー集束素子のｆ値は、好適には、０．２５-１６、より好適には、０．５-２の範囲にある。
【００１５】
画像ストリップは、レリーフ構造を使用して定めることもできるが、簡単に、基板の上へ印刷することができる。これは、非常に細かいデバイスを造ることを可能にし、セキュリティ・デバイスをセキュリティ文書に使用するときに、特に有益である。
【００１６】
レリーフ構造は、エンボス加工またはキャスト硬化によって形成することができる。上で述べた２つのプロセスのうち、キャスト硬化は、複製においてより高い忠実度を提供する。
【００１７】
種々の異なるレリーフ構造を、下で更に詳細に記述されるように、使用することができる。しかしながら、画像ストリップは、画像のエンボス加工／キャスト硬化によって、回折格子領域として、簡単につくることができた。画像の異なる部分を、格子の異なるピッチまたは異なる方向を用いて区別することができた。代替的（および／または追加的な区別する）画像構造は、例えば、モス・アイ（ｍｏｔｈ-ｅｙｅ）構造（たとえば国際公開第２００５／１０６６０１号参照）、ゼロ次回折構造、アズテック（Ａｚｔｅｃ）構造（たとえば国際公開第２００５／１１５１１９号参照）として知られるステップ表面レリーフ構造、または、単純な散在構造などの反射防止構造である。ほとんどの応用にたいして、これらの構造は、輝度およびコントラストを強くするために、部分的、または、完全に金属被覆することができた。
【００１８】
典型的には、レリーフによって形成される各々の画像ストリップの幅は、５０ミクロン未満であり、好適には、２０ミクロン未満であり、最も好適には、１ないし１０ミクロンの範囲にある。プリントされたストリップに対して、最少の達成できる線幅は、１μｍより大きく、典型的には５μｍ以上である。上限は、最大レンズ・ベース直径と、２００μｍ周期性と整合性のある５０μｍに留まる。
【００１９】
このセキュリティ・デバイスは、独立型デバイスとして使用することができるが、他のデバイスを含むこともできた。例えば、画像ストリップは、該画像ストリップは、ホログラフ構造も備え、前記レンチキュラー・デバイスと離れている、基板の中で提供されることができる。
【００２０】
モアレ拡大に適切なマイクロ画像は、マイクロ画像の上に位置するモアレ拡大レンズ・アレイで、基板の上で提供することができた。このモアレ拡大レンズ・アレイは、レンチキュラー集束素子と同じ表面、または、内に提供することができた。
【００２１】
このセキュリティ・デバイスは、画像構造の一部として、または、追加的な層として、金属被覆層を備えることができる。好適には、そのような層は、いくつもの箇所において、選択的に金属被覆されていない。追加的に、このデバイスは、金属被覆層の上にレジストの層を更に含むことができる。金属被覆層および／又はレジスト層は、好適には証印として構成される。
【００２２】
このデバイスは、機械可読であるように構成されることも、また、好適である。これは、いくつもの方法において達成することができる。たとえば、このデバイスの少なくとも１つの層（選択的に別の層として）機械可読な材料を更に含むことができる。好適には、この機械可読な材料は磁性材料、例えば磁鉄鉱である、この機械可読な材料は、外部刺激に反応することができる。さらにまた、その機械可読な材料が層に形成される場合に、この層は、透明であることができる。
【００２３】
このセキュリティ・デバイスは、例えば、貴重品にアタッチすることによって、多くの異なるアプリケーションにおいて使用することができる。好適には、このセキュリティ・デバイスは、セキュリティ文書に固着するか、又は、内部に実質的に含まれる。したがって、セキュリティ・デバイスは、そのような文書の表面にアタッチされることができ、あるいは、部分的に、その文書に埋め込まれることができる。このセキュリティ・デバイスは、セキュリティ文書での使用において種々の異なる形式をとることができる。これらは、非限定的な例として、セキュリティ・スレッド、セキュリティ・ファイバー、セキュリティ・パッチ、セキュリティ・ストリップ、セキュリティ・ストライプ、またはセキュリティ・ホイルを含む。本願発明にしたがうセキュリティ・デバイスと方法のいくつかの例が、次に、記載され、添付の図面を参照して、既知のデバイスと対比される。
【図面の簡単な説明】
【００２４】
【図１】図１は、既知のレンチキュラー・デバイスを通しての概略断面図である。
【図２】図２は、図１の既知のレンチキュラー・デバイスを修正した形式の上からの斜視図である。
【図３】図３は、異なる傾斜角における、図２のデバイスの外観を図示する。
【図４】図４は、図１に類似した概略断面図であるが、比較例を通したものである。
【図５】図５は、図４のデバイスに対して、異なる視角で見える画像を図示する。
【図６】図６は、図５のビューを示すが、アニメーション・シーケンスの進行を図示している。
【図７】図７は、図４に類似したビューであるが、その中の画像ストリップは、レンチキュラ・レンズに登録されない。
【図８】図８は、図６に類似したビューであるが、図７の例に対するアニメーション・シーケンスを示す。
【図９】図９は、画像ストリップがレンチキュラ・レンズに登録された、当初の、あるいは、特定のシナリオにおいて本願発明にしたがうデバイスの例の異なる視角で見られる画像を例示する。
【図１０】図１０は、図９の画像を作成するために使用されるデバイスを通しての概略断面図である。
【図１１】図１１は、図１０において示されるデバイスを傾けることによるアニメーション・シーケンスを図示する。
【図１２】図１２は、図１０に類似したビューであるが、その中の画像ストリップは、レンチキュラ・レンズに登録されない。
【図１３】図１３は、図１１に類似したビューであるが、図１２のデバイスに対するものである。
【図１４ａ】図１４ａは、画像シーケンスの別の例を図示する。
【図１４ｂ】図１４ｂは、デバイスが傾けられたときに観察される完全なシーケンスを図示する。
【図１５】図１５は、図１４において示される画像シーケンスを形成するために使用されるデバイスを通しての概略断面図である。
【図１６ａ】図１６ａは、別の反復するシーケンスを図示する。
【図１６ｂ】図１６ｂは、デバイスが傾けられたときのシーケンスの外観を図示する。
【図１７】図１７は、図１５に類似したビューであるが、その中の画像ストリップは、レンチキュラ・レンズに登録されない。
【図１８ａ】図１８ａは、図１６ａに類似したビューであるが、図１７において示されるデバイスに対するものである。
【図１８ｂ】図１８ｂは、図１６ｂに類似したビューであるが、図１７において示されるデバイスに対するものである。
【図１９】図１９は、画像シーケンスのさらなる例を図示する。
【図２０】図２０は、画像シーケンスのさらなる例を図示する。
【図２１】図２１は、ポンピング・デバイス画像を図示する。
【図２２】図２２は、本願発明にしたがうデバイスのさらなる例を通した概略断面図である。
【図２３】図２３は、図２２において示されるデバイスが傾けられたときの外観を図示する。
【図２４】図２４は、本願発明にしたがうセキュリティ・スレッドを図示する。
【図２５】図２５のＡ-Ｉは、画像ストリップに対するレリーフ構造をインプリメントする異なる方法を図示する。
【図２６】図２６は、本願発明にしたがうセキュリティ・デバイスを製造する方法に含まれるステップを図示する。
【図２７ａ】図２７ａは、補完的なシーケンスをつくるために、２つの異なるレンチキュラー・デバイスを通した図式的横断面を図示する。
【図２７ｂ】図２７ｂは、補完的なシーケンスをつくるために、２つの異なるレンチキュラー・デバイスを通した図式的横断面を図示する。
【図２８ａ】図２８ａは、図２７の例に基づくウインドウに表示されたセキュリティ・スレッドを図示する。
【図２８ｂ】図２８ｂは、図２７の例に基づくウインドウに表示されたセキュリティ・スレッドを図示する。
【図２８ｃ】図２８ｃは、図２７の例に基づくウインドウに表示されたセキュリティ・スレッドを図示する。
【図２８ｄ】図２８ｄは、図２７の例に基づくウインドウに表示されたセキュリティ・スレッドを図示する。
【図２８ｅ】図２８ｅは、図２７の例に基づくウインドウに表示されたセキュリティ・スレッドを図示する。
【図２９ａ】図２９ａは、登録されたシナリオにおいて、本願発明にしたがうセキュリティ・デバイスのさらなる例を通した概略断面図である。
【図２９ｂ】図２９ｂは、未登録シナリオにおいて、本願発明にしたがうセキュリティ・デバイスのさらなる例を通した概略断面図である。
【図３０ａ】図３０ａは、図２９ａと一致している画像シーケンスを図示する。
【図３０ｂ】図３０ｂは、図２９ｂと一致している画像シーケンスを図示する。
【図３１】図３１は、画像の複数のセットが各々のマイクロレンズの下で提供されるアニメーション・シーケンスを生成するためのレンチキュラー・デバイスのさらなる例のアニメーション・シーケンスを図示する。
【図３２】図３２は、画像の複数のセットが各々のマイクロレンズの下で提供されるアニメーション・シーケンスを生成するためのレンチキュラー・デバイスの構造を図示する。
【発明を実施するための形態】
【００２５】
既知のレンチキュラー・デバイスが、図１-３において示される。図１は、画像Ａ-Ｇを眺めるのに使用されている既知のレンチキュラー・デバイスを通した横断面を示す。円柱レンズ２のアレイは、透明な基板４の上に配置される。代替的に、この、および、以下の例において、レンズ２は、基板４において直接形成されることができた。各々の画像は、いくつもの、たとえば１０のストリップに分割される。レンチキュラー・アレイの各々のレンズ２の下に、基板４の上に直接、または、（図示のように）透明なレイヤ３の上で、または、中において、画像Ａ-Ｇの特定のセグメント領域に対応した画像ストリップのセットが提供される。第１のレンズの下で、このストリップは、それぞれ、画像Ａ-Ｇの第１のセグメントに対応し、次のレンズの下で、このストリップは、それぞれ、画像Ａ-Ｇの第２のセグメントに対応する。以下同様である。１つの見る位置から各々のレンズ２を通して、ただ１つのストリップが見られるようにするために、各々のレンズ２は、ストリップの平面内にフォーカスするように配置される。いかなる視角においても、画像（Ａ、Ｂ、Ｃその他）の１つに対応するストリップだけが、対応するレンズを通して見られる。図示されるように、画像Ｄの各々のストリップは、まっすぐに見られる。ところが、軸から数度傾けると、画像Ｃまたは画像Ｅからのストリップが、見られるようになる。
【００２６】
ストリップは、画像のスライスとして配置される。すなわち、ストリップＡは、１つの画像からのすべてのスライスである、画像Ｂ、Ｃ等についても同様である。その結果、このデバイスが傾けられると、一連の画像が見られる。これら画像は、関連があるものでも、関連がないものでもよい。最も単純なデバイスは、そのデバイスを傾けると、互いの間を飛び移る２つの画像を有するものである。代替的に、その画像は、その画像が動くように見えるようにレンチキュラー・アニメーション効果を生成するストリップからストリップへと横にシフトする一連の画像でありえる。同様に、画像から画像への変化は、より複雑なアニメーション（準連続的な画像変化の部分）、モーフィング（１つの画像が小さなステップで別の画像に変形する）または、ズーミング（画像が、ステップごとに、大きくなったり、小さくなったりする）を引き起こすことができる。
【００２７】
図２は、斜視図において、レンチキュラー・デバイスを示すが、単純にするために、レンズにつき２つの画像ストリップだけを、それぞれ、ＡとＢとラベルをつけられて示されている。観測者にたいする、図２において示されるデバイスの見え方が、図３に図示される。このように、デバイスが、その上辺を前方に傾けて（ビューＴＴＦ）配置されるときは、画像ストリップＡが、星の画像を定めているのを見られ、一方、このデバイスが、その底辺を前方に傾けて（ビューＢＴＦ）配置されるときは、画像ストリップＢが、「１０」の画像を定めているのを見られる。
【００２８】
図４-図８は、既知のデバイスにおける画像ストリップとレンチキュラ・レンズの間での弱い登録と関連した問題を図示する図４は、複数の視角から画像１-５、または、ビューＡ−ビューＥのそれぞれを眺めるのに使用され、図示されている画像の個々のストリップを有する、レンチキュラー・デバイスのさらなる例を通した横断面を示す。図５は、ビューＡ−ビューＥで見られる画像を図示する。この場合、画像が動くように見えるようにレンチキュラー・アニメーション効果を生成する、ストリップからストリップへ横にシフトされる一連の画像１-５が存在し、追加的に、この動きが起こると、画像が拡大する。このように、各々の画像１-５は同じ形状（Ｖ形）を有するが、その前のものより大きい。この連続した画像は、また、右に（Ｖ形ポインターの方向に）、連続した場所において見られる。この拡大と動きは、アニメーション・ステップ１、２、３、４、５によって表される。図４の例において、画像ストリップがレンチキュラ・レンズに登録されているので、ビューＡ-ビューＥは、直接アニメーション・ステップ１-５に対応する。
【００２９】
図６は、画像ストリップがレンチキュラ・レンズに登録された場合について、ビューＡからビューＥまで傾くにつれて、アニメーション・シーケンスの進行を示す。この場合、ビューがＡからＥまで変化するとともにアニメーション・ステップ１-５を通して、画像が、順次、そして、隣接して、拡大するのが見られる。
【００３０】
図７は、図４において示されたものに類似した横断面を示す。しかし、この場合において、その画像ストリップは、レンチキュラ・レンズに登録されていない。これは、登録をコントロールすることが不可能であるか、技術的にかなり困難であるとき、起こる。したがって、アニメーション・シーケンスのどの部分が、どのビューにおいて見られるかを制御は可能ではない。図７の例において、画像３が、今、ビューＡで見られ、画像５が、次に、ビューＣで見られる、等である。最終的なセキュリティ・デバイスにおいて、これは、非隣接的あるいは非進行的なアニメーション・シーケンスという結果になる。これは、観測者を混乱させるので、一貫した予想可能な光学的変動効果を提供することに関しては、好ましくないと思われる。これは、図８において図示されており、デバイスを傾けると、ビューアーは、典型的には、今、アニメーション・ステップ３に対応するビユーＡから始め、次に、ビユーＢ、ビユーＣと傾けて、アニメーション・ステップ４と５によって、段階的な拡大と動きを見る。アニメーション・ステップ５と１との間で、画像サイズにおける突然のジャンプがここであるので、ビューＣからビューＤに進行するときに、問題が起こる。これは手続き、および／または、以降のアニメーション・ステップにおいて進行的、隣接的変化と相関しない。したがって、認証者が段階的な拡大を見ることを期待しているときには、望ましくない。さらにまた、登録を制御することが可能でない場合には、この突然のジャンプが、セキュリティ・デバイスの異なるバッチに対する異なるビューで起こり、そして、それは認証者の気持ちに、混乱を引き起こす。
【００３１】
本願発明が、典型的に、たとえば、縮小、拡大効果の形式で、段階的な周期的バリエーションを示す画像シーケンスを用いてレンチキュラ・レンズに画像ストリップを登録する要求を取り除く。どのアニメーション・ステップがどのビューで観察されるかにかかわりなく、この段階的な変化が観察される。これは、以下の図において示される。
【００３２】
図９は、本願発明で用いるのに適切である周期的拡大・縮小アニメーション・シーケンスを表す。縮小ステップは、拡大ステップをステップ数と、それらの間での画像サイズの変化との両方において反映することがわかるしたがって、画像２は、画像４（異なる場所であるが）と同じ形とサイズである。
【００３３】
図１０は、ＡからＤへの４つのビューを通して、アニメーション・シーケンスを見るのに用いられるレンチキュラー・デバイスの横断面を表す。ＡからＤへの各々のビューは、同じ視角を定め、まず最初に、画像ストリップが、レンズ２に登録される。このアニメーション・シーケンスの重要な面の１つは、同じ画像が、アニメーション・シーケンスの終了と開始に対して使用されることである。この場合、画像ストリップは、アニメーション・シーケンスにおける画像１を表したものである。このように、画像ストリップによって定義される画像の単一のシーケンスは、画像の完全なシーケンスを形成しない。これは、提供される必要がある画像ストリップの数を減らす。しかし、反復シーケンスが本当に連続的であるので、より効果的なセキュリティ・デバイスになる。このように、画像ストリップが同じ幅で、画像１から画像１へ戻る画像の完全なシーケンスを定めるならば、次に、隣接した画像シーケンスは、画像１の連続したビューを提示する。このように、このデバイスが傾けられると、他の画像の二倍に見える。そして、それは認証者の気持ちに、混乱を引き起こす。
【００３４】
図１１は、図１０のデバイスが傾けられて、画像ストリップがレンチキュラ・レンズに登録された場合について、ビューＡ-Ｄから見られる、画像のシーケンスの進行を表す。この場合、Ｖ形は、拡大し、次に、ビューがＡからＤまで変化し、そして、Ａへ戻るとともにアニメーション・ステップ１-４を通して、シーケンシャルに、または、隣接して縮小するのを見られる。ここで、最初のシーケンスの終了と、次のシーケンスの開始との両方が観察される。
【００３５】
図１２は、図１０のものと類似した横断面を示す。しかし、この場合、画像ストリップは、もはや、レンチキュラ・レンズ２に登録されない。登録をコントロールすることが不可能であるか、技術的にかなり困難であるとき、これが起こる。したがって、アニメーション・シーケンスのどの部分が、どのビューにおいて見られるかを制御することは可能ではない。図１２の例において、画像３が、現在、ビューＡで見られ、画像１が、現在、ビューＣで見られる。等々である。しかしながら、図４ないし８の前の例と違って、アニメーション・シーケンスにおいて、各々のビューには、その近隣の素子が続く、依然、隣接するアニメーション・シーケンスを維持する。したがって、最終的なセキュリティ・デバイスにおいて、アニメーション・シーケンスにおいて、いかなる好ましくない非隣接するステップまたはジャンプを避ける。これは、図１３において図示されており、観察者が、ビューＡすなわち画像３で異なる開始点を観察するが、それから、観察者は、ビューＡ、ビューＤをとおり、ビューＡに戻るように変化すると、段階的な縮小、つづいて、最初の開始点へ戻る拡大を観察する。アニメーション・シーケンスの周期的性質と、シーケンスの開始と終了とが同じ画像によって表されるという事実とは、登録に関係ない画像の滑らかな拡大・縮小という結果になる。すなわち、サイクルが再開するときに、もはや、画像サイズにおける突然のジャンプはない。検査可能なセキュリティ機能は、このデバイスを傾けると、まず最初に観察される画像（登録に依存してサイズが変化する）が、周期的縮小・拡大アニメーションを進行するのを観察されることである。ここで、それは、スムーズにその開始サイズに戻る。図１３で示すように、このアニメーションは、また、縮小・拡大効果とともに、セキュリティ・デバイスに沿った動きを備えることもできる。
【００３６】
示された例の全てにおいて、レンズの下に位置する１セットの画像ストリップ（たとえば、１-４）が、シーケンスのあらゆるステップが、１つのレンズの下に置かれるように存在する。また、１つのレンズの下に、複数の画像ストリップのセットを置くこともでき、図３１において示されるアニメーション・シーケンスに対して、これは、図３２の横断面で図示される。この有利な点は、観察者が、セキュリティ・デバイスが傾けられるとより多くのサイクルを繰り返すのを見るということである。
【００３７】
図１４は、本願発明に対して適切である他の画像アニメーション・シーケンスを示す。図１４ａは、数字の「１０」が拡大して、縮小するステップ１から５を通して組み合わせたアニメーション・シーケンスを示す。このシーケンスを未登録レンチキュラー・デバイスで使用するために適切にするために、反復パターン・ユニットが、つくられ（図１４ｂ）、ここで、画像１は、図１４ａにおける、ステップ１と５に対する、画像を提供する（ステップ５は、また、次のシーケンスのステップ１を構成している）。
【００３８】
図１５は、画像ストリップがレンチキュラ・レンズに登録されるケースに対して、図１４ｂにおいてＤに４つのビューＡを通してアニメーション・シーケンスを見るために使用されるレンチキュラー・デバイスの横断面を示す。図１６ｂは、そのような登録されたシナリオに対する画像ビューＡ-Ｄ（図１６ａ）のアニメーション・シーケンスの進行を示す。この場合、セキュリティ・デバイスを上がって、ビューが、ＡからＤに変化すると、アニメーション・ステップ１-４を通して、数字「１０」の画像が、順次、拡大し、次に、縮小するのを見られる。次に、Ａに戻り、最初のシーケンスの終端と、次のシーケンスの開始との両方が観察される。
【００３９】
図１７は、図１５において示されたものと類似した横断面を示す。しかし、この場合、画像ストリップはレンチキュラ・レンズ２に登録されない。登録をコントロールすることが不可能であるか、技術的にかなり困難であるとき、これが起こる。したがって、アニメーション・シーケンスのどの部分が、どのビューにおいて見られるかを制御することは可能ではない。図１７の例において、画像３が、今、ビューＡで見られ、画像１が、次に、ビューＣで見られる、等である。しかしながら、図４ないし８の例と違って、これは、最終的なセキュリティ・デバイスにおける好ましくないアニメーション・シーケンスという結果にならない。すなわち、各々の連続したビューは、アニメーション・サイクル内の連続した隣接イメージ要素を特徴とする。この程度まで隣接するアニメーションを維持する。視覚的シーケンスに、ジャンプまたは不連続性が存在しない。全体的なシーケンスが、図１８ａに図示される。観察者が、ビューＡにおいて異なる開始点完全に拡大された画像を表す画像３を観察する（図１８ｂ）が、観察者は、次に、段階的な縮小、続いて、観察者がビューＡからビューＤへと変化し、また、ビューＡに戻ると、最初の開始点へ戻る拡大を観察する。
【００４０】
図１９および２０は、本願発明において使用することができた動きおよび縮小／拡大の組合せを示すアニメーション・シーケンスの２つのさらなる例を示す。
【００４１】
アニメーション・シーケンスが動きを含むことは、必要でなく、図２１は、代替的画像アニメーション・シーケンスを示す。ここでは、数字の「１０」を表している画像の、セキュリティ・デバイスの上の同一領域の中で拡大と縮小ステップだけが存在する。この場合、数字の「１０」を拡大、縮小させる４つのアニメーション・ステップが存在する。この種のデバイスは、ポンピング・デバイスと呼ばれる。
【００４２】
図２２は、画像ストリップがレンチキュラ・レンズに登録されないケースに対して、ＡからＤへの４つのビューを通して、図２３において図式的に図示される図２１のアニメーション・シーケンスを見るのに用いられるレンチキュラー・デバイスの横断面を表す。すなわち、最初の画像が最小の画像ではないように、画像１はビューＡに対応しない。図２１の例において、画像３が、今、ビューＡで見られ、画像１が、次に、ビューＣで見られる、等である。
【００４３】
記載された例が、周期的拡大・縮小アニメーションに注意することによって、観察者がデバイスを認証する簡単な方法を提供する一方、更なる例において、このセキュリティ・デバイスは、２つのデバイスの間で関連するが異なる拡大・縮小サイクルを示す２つの表示シーケンスに提供することができた。例えば、２つのビュー・シーケンスは、直接逆の縮小／拡大サイクルを示すことができた。すなわち、１つは拡大し、他方は縮小している。代替的に、２つのビュー・シーケンスは、同じ方向に、ただし、互いにステップを揃えることなく、拡大・縮小することができた。これは、検証の容易さの点で、非常に価値あるデバイスを提供する。２つのデバイスの間で、既知の関係である特徴が検証されたという事実は、画像ストリップと集束素子の間で正確な登録を要求しない。図２７ａは、２つの、異なるが関連したアニメーション・シーケンス（画像シーケンス１と画像シーケンス２）をつくるレンチキュラー・デバイスの横断面を示す。ここでは、画像領域１に対するアニメーション・シーケンスが、画像領域２においてアニメーション・シーケンスをつくるために、１つのストリップ要素だけシフトされる。典型的には、同じレンチキュラ・レンズ２が、各画像エリアに対して使用されるが、しかし、画像ストリップ１−４の異なる配列を有するものである。これは、２つの画像シーケンスを比較するのをより簡単にする。しかしながら、２つの異なるレンチキュラー・デバイスを使うことも可能である。
【００４４】
図２８ａは、異なるが関連したアニメーション・シーケンスを形成する画像ストリップが、画像シーケンス１と画像シーケンス２とがセキュリティ文書の交互のウインドウの中で見えるように、スレッドまたはストリップの長い軸に沿って定期的に反復するウインドウに表示されたセキュリティ・スレッドの例を示す。前の実施例と同様に、画像シーケンスは、デバイスを傾けることにより見られる。図２８ｂおよび図２８ｃは、ビューＡ-Ｄを通して画像シーケンス１、２を示す。このアニメーションは、図２３に関連して記載されたように、拡大／縮小効果だけである。画像シーケンス１が、画像シーケンス２に相対して、１つのアニメーション・ステップだけシフトされたことがわかる。これは、それぞれのビューに対して、画像シーケンス２に対するストリップ・シーケンスが、画像シーケンス１に対するストリップ・シーケンスより前方の１つのストリップであるように、２つの画像シーケンスの間での境界において、ストリップ・シーケンスを壊すことによって達成される。たとえば、ビューＣから、アニメーション・ステップ１が画像シーケンス２において見え、アニメーション・ステップ４が画像シーケンス２において見える。図２８ｂおよび図２８ｃにおいて示される関連したシーケンスは、説明のためだけのものであり、実際には、アニメーション・シーケンスは、１つの画像ストリップよりもステップが揃っていないことがありえた。あるいは、そのシーケンスは、反対にアニメーションすることができた。図２７ｂは、画像エリア１に対する、アニメーション・シーケンスが、直接的に、画像エリア２に対する、アニメーション・シーケンスの正反対である、２つの、異なるが関連したアニメーション・シーケンスをつくるレンチキュラー・デバイスの横断面を示す。すなわち、１つは拡大し、他方は縮小している。図２８ｄおよび図２８ｅは、図２７におけるレンチキュラー・デバイスに対して、ビューＡ-Ｄを通して画像シーケンス１、２を示す。たとえば、ビューＣから、アニメーション・ステップ３（完全に拡大した画像を表す）が、画像シーケンス１で見え、アニメーション・ステップ１（完全に縮小した画像を表す）が、画像シーケンス２において見える。
【００４５】
本願発明の前の例において、シーケンスにおいて最初の画像を定めている画像ストリップ、画像１、は、また、以前のシーケンスにおける最後の画像も定めている。代替的なアプローチが、図２９ａにおいて示される。このアプローチにおいては、もっとも端の画像ストリップが、他の画像ストリップの半分の幅を有し（図２９ａの中の画像ストリップ１と５）、同じ画像形式を定める。これの効果は、デバイスが傾けられ、ビューＥに達する（図３０ａ）と、このビューは、前と等しい視角Ｂ、Ｃ、Ｄと比較して、視角の半分が見られるだけであることである。しかしながら、次の画像ストリップ１が、また、半分の幅でもあるので、これも、ビューＢ-Ｄと比較して、半分の角度にわたり見られる。その結果、最小の画像が、他の画像と同じ角度にわたり見られることになり、それゆえに、観察者は、一定の割合でデバイスを傾けると、この画像形式において連続変化を見ることができる。この例において、その画像は、シーケンスを通してサイズが変化する数字の「１０」である。図２９ｂは、画像ストリップの同じ配列を図示するが、しかし、レンチキュラ・レンズ２に未登録のものである。このシーケンスの見え方は、図３０ｂで示すようであり、また、ビューＣとビューＤに対応する数字の「１０」の最も小さなバージョンが見られるトータルの角度は、ビューＡ、ＢおよびＥの各々の総角度と等しい。
【００４６】
すべての例において、円筒形のマイクロレンズ２と画像ストリップ・セットとは、典型的には、５-２００μｍの反復距離を有し、より好適には、１０-６０μｍ、さらにより好適には、２０-４０μｍの反復距離を有する。それらは、典型的には、ＵＶキャスト硬化複製または加熱エンボス加工によって形成される。各々の画像ストリップ・セットにおいて画像ストリップの数は、好適には、４-３０の範囲にある。
【００４７】
上の例において、画像ストリップは、グラビアまたは他の適切な印刷方式によって、基板４の下側の上の、直接、または、中間レイヤ３にプリントされる。画像ストリップは、５０ミクロン未満の典型的幅を有するが、好適には、２０ミクロン未満であり、最も好適には、１ないし１０ミクロンの範囲にある。ストリップが、直接印刷され、それから、最小線幅が１０μｍであることが予期される状況に対しては、例外的に５μｍ、非常に例外的には１μｍである。
【００４８】
本願発明にしたがうセキュリティ・デバイスの典型的厚みは、２-１００ミクロンであり、より好適には、２０-５０ミクロンであり、画像ストリップの平面と一致する焦平面を有するように調整されたレンズ曲率と焦点距離を有している。
【００４９】
図５-２３と２７に示されるデバイスは、例えばセキュリティ文書に添付されるラベル、または、その他、のようなスタンドアローン・デバイスとして使用することができる。しかし、また、文書の基板に対応するレンチキュラー・デバイスの基板で、セキュリティ文書の整数部分を形成することもできた。このデバイスは、したがって、紙幣のような基板の透明な部分内、または、それの上に、あるいは、またはウインドウに位置する必要がある。
【００５０】
図２４は、本願発明にしたがうセキュリティ・デバイスの別の例を図示する。３つのレンチキュラー・ポンピング・デバイス４２を有しているセキュリティ・スレッド４１の形で、これはある図２３において示される形式においてそして、スレッド４１の基板に浮彫りされる２つのホログラフィック・デバイス４８。
【００５１】
セキュリティ・スレッド４１が傾けられると、ホログラフィック生成構造４８は、従来の方法において、それぞれのホログラムをリプレイする。これからわかるように、レンチキュラー・デバイス４２は、セキュリティ・スレッド４１が、その細長い軸のまわりに傾けられるとき、星が、図２３に関連して論じられたように、周期的拡大縮小シーケンス中を進行するように、定められる。
【００５２】
これらの実施例では、基板４は、典型的には透明な高分子材料、たとえば二軸ＰＥＴまたはポリプロピレンである。
【００５３】
上で説明されるように、典型的には、画像ストリップは基板の上にプリントされる。しかしながら、画像ストリップは、レリーフ構造として形成することもできる。これに適した種々の異なるレリーフ構造が、図２５に示される。
【００５４】
このように、図２５Ａは、エンボス加工あるいはリセス・ラインの形でストリップ（ＩＭ）の画像領域を図示し、一方、非エンボス加工ラインが、ストリップ（ＮＩ）の非画像領域に対応する。図２５Ｂは、デボス・ラインまたはバンプの形でストリップの画像領域を図示する。
【００５５】
別のアプローチにおいて、レリーフ構造は、回折格子（図２５Ｃ）、または、モス・アイ／微細ピッチ回折格子（図２５Ｄ）の形であることができる。
【００５６】
図２５Ａおよび図２５Ｂのリセスまたはバンプは、それぞれ、図２５Ｅおよび図２５Ｆに示されるように、回折格子をさらに備えることができる。
【００５７】
図２５Ｇは、無彩色効果を提供する単純な散乱構造の使用を図示する。
【００５８】
更に、上で説明したように、いくつかの実施ケースにおいて、図２５のＡのリセス７０には、インクを供給することができる。あるいは、デボス領域またはバンプ１１０に、インクを供給することができる。後者は、図２５のＨに示されており、インク層１００がバンプ１１０の上に供給されている。
【００５９】
図２５のＩは、アズテック構造の使用を図示する。
【００６０】
その上、画像領域と非画像領域とは、異なる素子タイプの組合せによって定義することができる。例えば、非画像領域が格子から形成することができるのに対して、イメージエリアはモス・アイ構造から形成することができる。または、画像領域および非画像領域でさえ、異なるピッチまたは方向の回折格子によって形成することができた。
【００６１】
このバンプ／リセスの高さまたは深さは、好適には０．５-１０μｍの範囲にあり、より好適には、１-５μｍの範囲にある。画像ストリップの幅、したがって、バンプまたはリセスの幅は、スムーズなアニメーション効果を除けば要求される光学的特殊効果のタイプに依存している。できるだけ多くのビューを有することが好ましく、典型的には少なくとも３つ、しかし、理想的には３０である。この場合、画像ストリップ（そして、関連するバンプまたはリセス）の幅は、０．１−１０μｍの範囲になければならない。
【００６２】
他の例（図示せず）において、図２４における、１つ以上のホログラフィック生成構造４８は、２Ｄあるいは１Ｄ構造でありえるモアレ拡大構造と置き換えることができた。２Ｄモアレ拡大構造は、欧州特許１６９５１２１Ａ号と、そして、国際公開第９４／２７２５４Ａ号に更に詳細に記述されている。
【００６３】
画像ストリップがレリーフどれとして提供されるデバイスを製造する方法の例は、次に、図２６に関連して記述される。ステップ１において、前の例における層３に対応するキャリア層２４０は、透明な樹脂層２６０のキャスト硬化または熱形成によりコートされる（ステップ１）。
【００６４】
１-４とラベル付けされ、異なる回析する表面のレリーフ構造を備える４つの画像ストリップのセットが、次に、樹脂層２６０の露出表面へのエンボス加工（ステップ２）によって同時に形成される。これらのストリップは、手続き例のどれにおいてでも、１-４でアニメーション・ステップに対応する。多くの画像ストリップおよびしたがって、アニメーション・ステップを、使用することができる。しかし、実際には、少なくとも、３つが、運動効果をつくるのに必要であり、そして、より好適には４〜３０が必要である。
【００６５】
画像領域に対しての異なる回折格子構造の使用は、異なる回析色彩効果によって、異なるビューの間での視覚のコンストラクトを提供する。したがって、最終的なデバイスにおいて、動くと、画像は色を変化させる。この違いは必須でなく、画像領域は、同じ回析格子構造によって定義することができた。
【００６６】
次に、反射蒸着層は、回折格子表面のレリーフ構造（ステップ３）の上に、提供される。この反射蒸着は、金属化または高屈折率層でありえる。高屈折率材料、典型的には、無機材料、の使用は、周知の技術であり、米国特許第４８５６８５７号に記載されている。高屈折率層のために適切な材料の典型的例は、硫化亜鉛、二酸化チタンと二酸化ジルコニウムを含む。蒸着金属反射強化層を透明高屈折率（ＨＲＩ）層に置き換えることは、本願発明のセキュリティ・デバイスが、セキュアな文書の（典型的には開口またはウインドウとして知られる）透明領域の上に適用されるとき、特に有益である。
【００６７】
キャリア層２４０の反対側は、次に、キャスト硬化または熱形成透明樹脂２１０（ステップ４）によりコートする、次に、円柱レンズ２００のセットが、ストリップＡとストリップＢに登録するように、層２１０（ステップ５）にエンボス加工される。当然のことながら、他のケース登録においては、レンズ２００とストリップＡとＢの間で、事前に説明されたように、必要でない、
【００６８】
上述の例において、円柱レンズは、レンチキュラー集束素子として使用された。しかしながら、それらが、マイクロミラーと置き替えられることができたことが理解されなければならない。
【００６９】
本願発明のセキュリティ・デバイスは、任意の層における検知可能な材料の導入によって、あるいは、別の機械可読層の導入によって、機械可読にすることができる。外部刺激に反応して検出できる材料は、蛍光性、リン光性、赤外線吸収性、熱互変性、光互変性、磁気性、エレクトロクロミック、伝導性かつピエゾクロミズム（圧力変化による光学特性の変化）な材料を含むが、それらに限られるものではない。
【００７０】
本願発明のセキュリティ・デバイスは、例えば、いかなる望ましいプリント画像、不透明、半透明、または、スクリーンであることができる金属的層などさらなるセキュリティ機能も備えることができる。そのような金属的層は、既知の脱金属プロセスによってつくられるネガティブ、または、ポジティブ証印を含むことができる。
【００７１】
追加的な光学的可変的材料を、セキュリティ・デバイスに含めることができる。例えば、薄膜干渉素子、液晶材料、および、フォトニック結晶材料などである。そのような材料は、フィルム層の形、または、プリントによるアプリケーションに適切な着色材料としてであってもよい。
【００７２】
金属的層の存在は、機械可読な暗色の磁気層の存在を隠すために使用することができる。金属的層の下での磁気層の存在は、セキュリティ・スレッドにおいて周知である。例えば、国際公開第０３０６１９８０号、欧州特許０５１６７９０号、国際公開第９８２５２３６号、および、国際公開第９９２８８５２号に記載されている。磁性材料がデバイスに組み込まれるとき、その磁性材料は、どのような設計においても適用することができる。しかし、共通的な例は、磁気トラムラインの使用、または、コード化構造を形成するための磁気ブロックの使用を含む。適切な磁性材料は、酸化鉄顔料（Ｆｅ２Ｏ３またはＦｅ３Ｏ４）、バリウムまたはストロンチウム・フェライト、鉄、ニッケル、コバルト、および、それらの合金を含む。この文脈において、”合金”の用語は、ニッケル・コバルト、鉄・アルミニウム・ニッケル・コバルト、その他の材料を含む。フレーク状ニッケル材料を使用することができる。追加的に、鉄フレーク材料は適切である。典型的ニッケル・フレークは、長さ５-５０ミクロン、厚み２ミクロン未満の大きさを有する。典型的鉄フレークは、長さ１０-３０ミクロン、厚み２ミクロン未満の大きさを有する。
【００７３】
代替的な機械可読実施形態において、透明な磁気層を、デバイス構造の内のいかなる位置においても組み込むことができる。同じ大きさの磁気材料の粒子の分布を含み、その磁気層が透明なままである濃度に分布した適切な透明な磁気層が、国際公開第０３０９１９５３号および国際公開第０３０９１９５２号に記載されている。
【００７４】
更なる例において、本願発明のセキュリティ・デバイスは、そのデバイスが文書の透明な領域に組み込まれるように、セキュリティ文書において組み込むことができる。このセキュリティ文書は、紙とポリマーとを含むいかなる従来の材料から形成された基板でも有することができる。この種の基板の各々において透明な領域を形成するための技術は、当該技術領域において既知である。例えば、国際公開第８３００６５９号は、基板の両側に不透明化しているコーティングを備える透明な基板から形成されるポリマー紙幣を記載している。この不透明化しているコーティングは、透明な領域を形成するために、基板の両側の局所的な領域において省略される。
【００７５】
本願発明のセキュリティ・デバイスが、例えばポリマー紙幣など透明な基板から形成されるセキュアな文書の上で使用されるのであれば、このデバイスは、セキュアな文書とは別に形成することができ、既知の技術を用いて、セキュアな文書に付着させるか、移すことができる。代替的に、このデバイスは、セキュリティ・デバイスの一体的部分として透明な基板を用いて、透明な基板から形成されるセキュアな文書に組み込むことができる。たとえば、基板に直接、円柱レンズをエンボス加工するか、あるいは、基板をキャスト硬化または樹脂熱形成でコーティングし、次に、この層へ一組の円柱レンズをキャスト硬化、あるいは、エンボス加工することによって、レンチキュラー集束素子を、セキュアな基板の一方の側に形成、あるいは、そこに適用することができる。プリントまたは、図２５に関連して言及される構造のどれでも使用して、同様に、画像ストリップはセキュアな基板の反対側に形成することができ、あるいは、その上に適用することができる。
【００７６】
欧州特許第１１４１４８０号は、紙基板において透明な領域を作る方法を記述する。紙基板において透明な領域を形成する他の方法が、欧州特許第０７２３５０１号、欧州特許第０７２４５１９号、欧州特許第１３９８１７４号、および国際公開第０３０５４２９７号に記載されている。
【図１】
0006046703.tif 000010
【図２】
0006046703.tif 000011
【図３】
0006046703.tif 000012
【図４】
0006046703.tif 000013
【図５】
0006046703.tif 000014
【図６】
0006046703.tif 000015
【図７】
0006046703.tif 000016
【図８】
0006046703.tif 000017
【図９】
0006046703.tif 000018
【図１０】
0006046703.tif 000019
【図１１】
0006046703.tif 000020
【図１２】
0006046703.tif 000021
【図１３】
0006046703.tif 000022
【図１４ａ】
0006046703.tif 000023
【図１４ｂ】
0006046703.tif 000024
【図１５】
0006046703.tif 000025
【図１６ａ】
0006046703.tif 000026
【図１６ｂ】
0006046703.tif 000027
【図１７】
0006046703.tif 000028
【図１８ａ】
0006046703.tif 000029
【図１８ｂ】
0006046703.tif 000030
【図１９】
0006046703.tif 000031
【図２０】
0006046703.tif 000032
【図２１】
0006046703.tif 000033
【図２２】
0006046703.tif 000034
【図２３】
0006046703.tif 000035
【図２４】
0006046703.tif 000036
【図２５】
0006046703.tif 000037
【図２６】
0006046703.tif 000038
【図２７ａ】
0006046703.tif 000039
【図２７ｂ】
0006046703.tif 000040
【図２８ａ】
0006046703.tif 000041
【図２８ｂ】
0006046703.tif 000042
【図２８ｃ】
0006046703.tif 000043
【図２８ｄ】
0006046703.tif 000044
【図２８ｅ】
0006046703.tif 000045
【図２９ａ】
0006046703.tif 000046
【図２９ｂ】
0006046703.tif 000047
【図３０ａ】
0006046703.tif 000048
【図３０ｂ】
0006046703.tif 000049
【図３１】
0006046703.tif 000050
【図３２】
0006046703.tif 000051